(57)【要約】【課題】穂先部が破損しにくい板状の釣竿を提供することである。【解決手段】釣竿１は、竿杆２の元部ＭＴ側にリール装着部３が設けられたグリップ４が設けられている。竿杆２は、上下方向に３層の繊維強化樹脂層が積層されて形成され、これら繊維強化樹脂層は竿杆２の長手軸Ｊに沿った方向の軸長方向繊維と長手軸Ｊを横切る方向の横方向繊維を有するガラス繊維強化樹脂層からなっている。竿杆２は、左右方向に湾曲した板状に形成されて上面２ｊ側に凹状の湾曲面２ｄが形成されている。【選択図】    図２
2012139141.tif 000002
【特許請求の範囲】
【請求項１】
複数の合成樹脂層を積層して板状に形成した釣竿において、少なくとも前記釣竿の最上層と最下層を前記釣竿の前後方向と左右方向の両方の強化繊維を有する繊維強化樹脂層で形成したことを特徴とする釣竿。
【請求項２】
釣竿は左右方向に湾曲した板状に形成されていることを特徴とする請求項１に記載の釣竿。
【請求項３】
釣竿は上面側が凹状に形成されていることを特徴とする請求項２に記載の釣竿。
【請求項４】
前記釣竿は最上層と最下層の間に中間層を有し、該中間層は前記釣竿の前後方向と左右方向の両方の強化繊維を有する繊維強化樹脂層で形成したことを特徴とする請求項１乃至３のいずれか１項に記載の釣竿。
【請求項５】
前記釣竿は最上層と最下層の間に中間層を有し、該中間層は前記釣竿の長手方向を横切る強化繊維を有する繊維強化樹脂層で形成したことを特徴とする請求項１乃至３のいずれか１項に記載の釣竿。
【発明の詳細な説明】
【技術分野】
【０００１】
本発明は、釣竿に関し、詳細には、板状に形成した釣竿に関する。
【背景技術】
【０００２】
従来からワカサギ釣りなどで合成樹脂を板状（扁平）に形成した釣竿が使用されている。
これらの釣竿は、繊細な当たりが取れるように合成樹脂板を薄く削って形成するなど柔軟な穂先を有している。
ところが、板状に形成した釣竿は、穂先部に無理な撓りが生じると破損しやすいため釣竿の取り扱いでは釣り人が気を使うところであった。
【特許文献１】実開昭５２−１０９１８６
【発明の概要】
【発明が解決しようとする課題】
【０００３】
解決しようとする問題点は、板状（扁平）に形成した釣竿は破損しやすいことである。
【０００４】
本発明の目的は前記欠点に鑑み、穂先部に無理な撓りが生じても破損しにくい釣竿を提供することである。
【課題を解決するための手段】
【０００５】
本発明の請求項１は、複数の合成樹脂層を積層して板状に形成した釣竿において、少なくとも前記釣竿の最上層と最下層を前記釣竿の前後方向と左右方向の両方の強化繊維を有する繊維強化樹脂層で形成したことを要旨とするものである。
本発明の請求項２は、釣竿は左右方向に湾曲した板状に形成されていることを要旨とするものである。
本発明の請求項３は、釣竿は上面側が凹状に形成されていることを要旨とするものである。
本発明の請求項４は、前記釣竿は最上層と最下層の間に中間層を有し、該中間層は前記釣竿の前後方向と左右方向の両方の強化繊維を有する繊維強化樹脂層で形成したことを要旨とするものである。
本発明の請求項５は、前記釣竿は最上層と最下層の間に中間層を有し、該中間層は前記釣竿の長手方向を横切る強化繊維を有する繊維強化樹脂層で形成したことを要旨とするものである。
【発明の効果】
【０００６】
本発明の釣竿は、板状に形成されて捩れにくく、穂先部に無理な撓りが生じても破損しにくい。
【産業上の利用可能性】
【０００７】
本発明は、板状（扁平）に形成した釣竿に利用できる。
【図面の簡単な説明】
【０００８】
【図１】図１は、第１実施例で釣竿の側面図である。
【図２】図２は、第１実施例で釣竿の平面図である。
【図３】図３は、第１実施例でガイドを取り付けた部分の縦方向拡大断面図である。
【図４】図４は、第１実施例でガイドを取り付けた部分の横方向拡大断面図である。
【図５】図５は、第２実施例で釣竿の平面図である。
【発明を実施するための最良の形態】
【０００９】
本願発明を図示の実施例によって説明すると、図１から図４は本願の第１実施例で、図１は釣竿の側面図、図２は釣竿の平面図、図３はガイドを取り付けた部分の縦方向拡大断面図、図４はガイドを取り付けた部分の横方向拡大断面図である。
【００１０】
図１のように、釣竿１は、竿杆２の元部ＭＴ側にリール（Ｒ）装着部３が設けられたグリップ４が取り付けられている。
竿杆２は接続部４ａにてグリップ４に取り付けられている。
また、竿杆２には釣り糸Ｌが挿通されるガイドＧが竿杆２の長手方向に適当な間隔を開けて複数取り付けられている。
【００１１】
釣竿１を形成する竿杆２は、板状の合成樹脂片で形成され、具体的にはこの板状の合成樹脂片は繊維強化樹脂で形成されている。
竿杆２が板状に形成されることによって竿杆２が捩れにくくなるため、釣り糸から伝わる振動が竿杆２上下の動きとなって明確に出やすくなり、また、釣り糸が竿杆２に接触しにくくなるため、魚の当たりが取りやすくなる。
竿杆２は、ガラス繊維や炭素繊維等のプリプレグを重合して形成され、繊維強化樹脂層が厚み方向（上下面の方向）に複数積層されている。
竿杆２は、幅広の上面２ｊ、下面２ｋと幅が狭い左右側面２ｓ、２ｓからなる板状（扁平）に形成され、上記合成樹脂片の表裏面が竿杆２の上面２ｊと下面２ｋを形成し、繊維強化樹脂層が複数積層された時の側面（積層の厚みの面）が竿杆２の上面２ｊ、下面２ｋよりも幅が狭い竿杆２の左右側面２ｓ、２ｓを形成する。
【００１２】
図３のように、竿杆２は、最上層２ａ、中間層２ｂ、最下層２ｃの上下方向に３層の繊維強化樹脂層が積層されている。
本願の第１実施例においては、最上層２ａ、中間層２ｂ、最下層２ｃは共に竿杆２の長手軸Ｊに沿った方向の軸長方向繊維と長手軸Ｊを横切る方向の横方向繊維を有するガラス繊維強化樹脂層からなっている。
最上層２ａ、中間層２ｂ、最下層２ｃを形成する繊維強化樹脂層はそれぞれ織布で形成されているが、各層は軸長方向繊維層と長手軸Ｊを横切る方向の横方向繊維層を重合して形成したものでもよい。
また、竿杆２を形成する繊維強化樹脂は、ガラス繊維強化樹脂の他に炭素繊維強化樹脂でもよい。
【００１３】
このように、本願の釣竿１の竿杆２は、最上層２ａと最下層２ｃを釣竿１の前後方向と左右方向の両方の強化繊維（長手軸Ｊに沿った方向の軸長方向繊維と長手軸Ｊを横切る方向の横方向繊維）を有する繊維強化樹脂層で形成することによって、板状の竿杆２の軸長方向繊維により軸長方向の撓りに対し強化して粘り強さを有しており、さらに横方向繊維によって軸長方向繊維に沿った竿杆２の割れを防止することで竿杆２の折れが防止でき、竿杆２の側面２ｓ、２ｓからの強化繊維のほつれ、毛羽立ちが防止できる。
また、最上層２ａと最下層２ｃを釣竿１の前後方向と左右方向の両方の強化繊維によって竿杆２の上面２ｊ、下面２ｋの強化繊維のほつれ毛羽立ちも防止できる。
さらに、最上層２ａと最下層２ｃが織布の繊維強化樹脂層であるため、このことによってもより強化繊維のほつれを確実に防止できる。
なお、軸長方向繊維は、長手軸Ｊに対する傾きを１５°以内とし、横方向繊維は長手軸Ｊに直交する方向に対する傾きを１５°以内としている。
【００１４】
竿杆２は、穂先ＨＳ側から元部ＭＴ側にかけて同じ左右幅で形成され、元部ＭＴ側になるにしたがって剛性が大きくなるように厚み（側面２ｓの上下幅）が増加している。
すなわち、最上層２ａ、中間層２ｂ、最下層２ｃがそれぞれ元部２ｂ側から穂先部ＨＳ側にかけて長さを変えて配することで元部ＭＴ側の厚みが大きく、穂先部ＨＳ側の厚味が小さくなるように形成されている。
なお、穂先部ＨＳ側から元部ＭＴ側にかけて上面２ｊと下面２ｋの左右方向の幅を増大させることによって元部ＭＴ側になるにしたがって剛性が大きくなるようにしてもよい。
【００１５】
竿杆２は、図４のように横方向断面にて左右方向に湾曲した板状に形成されている。
板状の竿杆２の湾曲によって内側に外側より曲率の大きい凹状の湾曲面２ｄが形成され、凹状の湾曲面２ｄが竿杆２の上面２ｊ側になるように配されている。
凹状の湾曲面２ｄにより竿杆２の上面２ｊは左右方向に凹の円弧状の湾曲面２ｄが竿杆２の長手方向に連続して形成されている。
一方、竿杆２の下面２ｋ側は、左右方向に凸の円弧状の湾曲面２ｅが竿杆２の長手方向に連続して形成されている。
なお、この竿杆２の左右方向の湾曲形状または上面２ｊと下面２ｋの湾曲面２ｄ、２ｅは、最上層２ａ、中間層２ｂ、最下層２ｃの３層の繊維強化樹脂層が横方向繊維を有することによってその形状が維持されている。
【００１６】
竿杆２の上面２ｊ側には先端部の穂先ＨＳから元部ＭＴ側にかけて複数のガイドＧが取り付けられている。
ガイドＧは、金属等で形成されたフレームに釣り糸を挿通するガイド孔Ｇ１が形成され、竿杆２に添設された脚部Ｇ２が竿杆２に巻回された糸状体５ａとこれを覆う合成樹脂層（接着剤層）５ｂによる取り付け手段５にて竿杆２の上面２ｊ側に保持されている。
複数のガイドＧは、竿杆２の長手軸Ｊに沿ってガイド孔Ｇ１が竿杆２の前後方向（穂先ＨＳと元部ＭＴの方向）を向くように適宜間隔を置いて配されている。
複数のガイドＧは、略同じ高さを有し、竿杆２よりも幅狭で、竿杆２の左右側縁から外側に突出しないように取り付けられている。
【００１７】
竿杆２は、上面２ｊが凹状の湾曲面２ｄで形成され、下面２ｋが凸状の湾曲面２ｅで形成されているため、板状に形成しても、魚が掛かるなど竿杆２が下方に引かれて撓った時に、下面２ｋを凹状に形成した時と異なり、上記湾曲面の形状が平面状に広がりにくく竿杆２の上記湾曲形状が維持される様に撓るため竿杆２が捩れにくくなっている。
しかも、ガイドＧの脚部Ｇ２が凹状の湾曲面２ｄにて安定して載置された状態で取り付けられている。
【００１８】
図５は、第２実施例で、釣竿１の平面図で、積層された繊維強化樹脂層の拡大断面図によって各層の強化繊維の方向を示している。
【００１９】
第２実施例は、第１実施例と同様に竿杆２が最上層２ａ、中間層２ｂ’、最下層２ｃの３層で形成され、矢印で示した枠内の積層状態を示す拡大図によると、そのうち中間層２ｂ’がそれぞれ左右方向に傾斜した強化繊維を有する斜向繊維層からなっている。
この斜向繊維層は、その強化繊維の長手軸Ｊに対する傾きを３０°〜６０°としている。
【００２０】
第２実施例は、中間層２ｂ’を斜向繊維層とすることで第１実施例に比べて竿杆２の捩れが防止されるようになる。
しかも、最上層２ａ、最下層２ｃが竿杆２の長手軸Ｊに沿った方向の軸長方向繊維と長手軸Ｊを横切る方向の横方向繊維を有するため、板状の竿杆２の軸長方向繊維により軸長方向の撓りに対し強化して粘り強さを有し、さらに横方向繊維によって先の軸長方向繊維に沿った割れを防止することで竿杆２の折れが防止でき、竿杆２の側面２ｓ、２ｓからの強化繊維のほつれが防止でき、さらに、竿杆２の左右方向の湾曲形状は上記最上層２ａ、最下層２ｃの横方向繊維によってその形状が維持される。
【００２１】
このように、第２実施例においても第１実施例と同様の作用効果が得られる。
なお、その他の構成は第１実施例と同じである。
【００２２】
なお、竿杆２は３層で形成したが、２層以上で形成すれば何層で形成しても良い。
又、中間層は、長手軸Ｊに沿った方向の軸長方向繊維と長手軸Ｊを横切る方向の横方向繊維を有している例、斜向繊維層で形成した例で説明したが、その他の方向の強化繊維からなる層としたり、強化繊維を有しない合成樹脂層で形成したり、さらには合成樹脂以外のガラス層や金属層やセラミック層で形成することもできる。
第１実施例、第２実施例ともにワカサギ用の釣竿で説明したが、船釣りなど他の魚釣り用の釣竿に用いても良い。
【符号の説明】
【００２３】
１    釣竿
２    竿杆
３    リール装着部
４    グリップ
５    取り付け手段
Ｇ    ガイド
【図１】
2012139141.tif 000003
【図２】
2012139141.tif 000004
【図３】
2012139141.tif 000005
【図４】
2012139141.tif 000006
【図５】
2012139141.tif 000007